(57)【特許請求の範囲】
【請求項１】
面状片上に凸部を有する上構造体と、
面状片上に凸部を有する下構造体と、
を有し、
前記上下構造体が、互いの凸部が当接しないように互い違いに対向して上下に配置され、
前記上下構造体の間に不織布またはスポンジが該上下構造体の凸部側にサンドイッチ状に積層して介在され、
前記上構造体上の床基材に荷重が作用した際に、前記不織布またはスポンジの上下面が前記上下構造体のそれぞれの凸部に押圧された状態で変形し、その状態で前記上下構造体のそれぞれの前記面状片と、前記不織布またはスポンジの下面と上面との間に空間が形成されることを特徴とする遮音床材用裏打材。
【請求項２】
前記上下構造体は、ＪＩＳ  Ｋ−６７６７に準拠して５０％の圧縮硬さ６．０ＫＰａ以上で、且つ前記凸部の高さが１mm以上、且つ３０mm以下で、且つ隣設される前記凸部同士の離間間隔が１mm以上、且つ２５０mm以下で構成されたことを特徴とする請求項１に記載の遮音床材用裏打材。
【請求項３】
前記凸部の内部に貫通穴を設けたことを特徴とする請求項１または請求項２に記載の遮音床材用裏打材。
【請求項４】
前記上下構造体は、面状片と、該面状片上に立設された複数の線条起立片とを有して構成されたことを特徴とする請求項１または請求項２に記載の遮音床材用裏打材。
【請求項５】
前記上下構造体は、面状片と、該面状片上に立設された複数の環状起立片と、該環状起立片に接続された天片とを有して構成されたことを特徴とする請求項１〜３の何れか１項に記載の遮音床材用裏打材。
【請求項６】
前記上下構造体は、面状片と、該面状片上に立設された複数の環状起立片とを有し、該環状起立片の内部に前記面状片に亘って貫通する貫通穴が形成されたことを特徴とする請求項１〜３の何れか１項に記載の遮音床材用裏打材。
【発明の詳細な説明】
【技術分野】
【０００１】
本発明は、木質系遮音床材の裏面に貼り合せて使用される遮音床材用裏打材に関するものである。
【背景技術】
【０００２】
従来、この種の遮音床材用裏打材としては、不織布やウレタンフォーム等の単独或いは積層されたものが遮音効果があると認識されており、これらの材料が木質系遮音床材の裏面に貼り合せて使用される遮音床材用裏打材として一般的に使用されている。
【０００３】
不織布やウレタンフォーム等の裏打材を使用した遮音床材は、いずれも柔らかい素材を使用して遮音効果を発揮させるものであるので、圧縮硬さが弱く実際にフローリングに施工した時、歩く度に床の沈み込みが生じ、船酔い現象が発生し歩行感が良くないのが現実である。
【０００４】
例えば、特開平０６−６６０１１号公報（特許文献１）には、木質板に発泡シートと不織布を貼り付けたものが記載されており、特開平０８−３２６２７９号公報（特許文献２）には、木質系基材に発泡ポリエチレンシートと発泡ポリウレタンシートとを積層して、発泡ポリウレタンシートの柔らかさをカバーするために発泡ポリエチレンシートで硬さを出して歩行感を改善したものが記載されている。
【０００５】
また、特開平０５−１３３０８２号公報（特許文献３）には、上下面に多数の凹凸部を設けた遮音性緩衝体が床材本体の下面に設けられ、その遮音性緩衝体の下面の凹凸部にシート状物を貼ったものが記載されており、特開２００３−１６６３３６号公報（特許文献４）には、凹凸を設けた熱圧縮ポリウレタンフォームシートと、その片面に積層された高通気性ポリウレタンフォームシートとによりクッション層を構成し、その両面に不織布を貼着したものが記載されている。
【０００６】
また、特開平１０−１２１５９６号公報（特許文献５）には、凹凸部が形成された遮音層の凹凸部側に緩衝層が積層された制振遮音シートが記載されている。遮音層は高比重充填剤及び合成樹脂またはゴムを主成分とするバインダー成分とからなることが記載されている。
【０００７】
【特許文献１】特開平０６−０６６０１１号公報
【特許文献２】特開平０８−３２６２７９号公報
【特許文献３】特開平０５−１３３０８２号公報
【特許文献４】特開２００３−１６６３３６号公報
【特許文献５】特開平１０−１２１５９６号公報
【発明の開示】
【発明が解決しようとする課題】
【０００８】
しかしながら、前述の従来例で使用されている不織布やウレタンフォームの遮音床材用裏打材は、床材用の基材の裏面に不織布やウレタンフォームを単独或いは積層して貼り合わせ、遮音性能を上げるために空気層を多く含んだ柔らかい素材を使用しているので、JIS  K-6767での５０％圧縮硬さが５．７ＫＰａと非常に弱く、これらを裏打材として使用した遮音床材をフローリングに施工した場合、歩行時の体重を６０ｋｇ、足の面積を２００cm２とした場合に床にかかる荷重は２９．４ＫＰａとなり、床が歩く度に沈み込み、船酔い現象が発生し歩行感が悪く、家具等の重量物を置いた部分が沈み込むという問題があった。
【０００９】
本発明は前記課題を解決するものであり、その目的とするところは、フローリング等の床に施工した際に船酔い現象がなく歩行感の良い遮音床材用裏打材を提供せんとするものである。
【課題を解決するための手段】
【００１０】
前記目的を達成するための本発明に係る遮音床材用裏打材の第１の構成は、面状片上に凸部を有する上構造体と、面状片上に凸部を有する下構造体とを有し、前記上下構造体が、互いの凸部が当接しないように互い違いに対向して上下に配置され、前記上下構造体の間に不織布またはスポンジが該上下構造体の凸部側にサンドイッチ状に積層して介在され、前記上構造体上の床基材に荷重が作用した際に、前記不織布またはスポンジの上下面が前記上下構造体のそれぞれの凸部に押圧された状態で変形し、その状態で前記上下構造体のそれぞれの前記面状片と、前記不織布またはスポンジの下面と上面との間に空間が形成されることを特徴とする。
【００１１】
また、本発明に係る遮音床材用裏打材の第２の構成は、前記第１の構成において、前記上下構造体は、ＪＩＳ  Ｋ−６７６７に準拠して５０％の圧縮硬さ６．０ＫＰａ以上で、且つ前記凸部の高さが１mm以上、且つ３０mm以下で、且つ隣設される前記凸部同士の離間間隔が１mm以上、且つ２５０mm以下で構成されたことを特徴とする。
【００１２】
また、本発明に係る遮音床材用裏打材の第３の構成は、前記第１、第２の構成において、前記凸部の内部に貫通穴を設けたことを特徴とする。
【００１３】
また、本発明に係る遮音床材用裏打材の第４の構成は、前記第１、第２の構成において、前記上下構造体は、面状片と、該面状片上に立設された複数の線条起立片とを有して構成されたことを特徴とする。
【００１４】
また、本発明に係る遮音床材用裏打材の第５の構成は、前記第１〜第３の構成において、前記上下構造体は、面状片と、該面状片上に立設された複数の環状起立片と、該環状起立片に接続された天片とを有して構成されたことを特徴とする。
【００１５】
また、本発明に係る遮音床材用裏打材の第６の構成は、前記第１〜第３の構成において、前記上下構造体は、面状片と、該面状片上に立設された複数の環状起立片とを有し、該環状起立片の内部に前記面状片に亘って貫通する貫通穴が形成されたことを特徴とする。
【発明の効果】
【００１６】
本発明に係る遮音床材用裏打材の第１の構成によれば、上下構造体の凸部側に不織布やスポンジを積層して構成することにより、構造体の圧縮硬さを利用して歩行する度に荷重がかかっても圧縮硬さのある構造体で受け止められ、構造体の凸部に接している部分の遮音効果を得るために用いた空気層を含んだ柔らかい不織布やスポンジだけが潰れ、構造体の凸部は潰れないため床材が沈み込む船酔い現象がなく、歩行感を良くすることが出来、家具等の重量物を置いても沈み込みが生じない。また空気層を多く含んだ柔らかい不織布やスポンジにより遮音効果を得ることが出来る。
【００１７】
また、本発明に係る遮音床材用裏打材の第２の構成によれば、荷重がかかってもＪＩＳ  Ｋ−６７６７に準拠して５０％の圧縮硬さ６．０ＫＰａ以上の一対の構造体が各凸部面を対向させてその間に遮音効果を得るために用いた空気層を多く含んだ柔らかい不織布やスポンジを介在させてサンドイッチ状に積層して構成したことにより、一対の構造体の凸部が不織布やスポンジに両面側からめり込み、遮音床材用裏打材全体の圧縮硬さが強くなり歩行の際に床が沈むことがなく、船酔い現象がないので歩行感が良く、家具等の重量物を置いても床が沈み込むことがない。その上、一対の構造体とサンドイッチ状に積層して構成した不織布やスポンジとの間が空気層になり遮音効果を向上することが出来る。その上、凸部の高さが１mm以上、且つ３０mm以下で、且つ凸部同士の離間間隔が１mm以上、且つ２５０mm以下で構成したことにより凹凸部が連続的に配置されて床材全体としての圧縮硬さは強く、しかも凸部側で構造体と不織布やスポンジとの間に十分な空気層が形成されるため遮音効果を更に向上することが出来る。
【００１８】
また、本発明に係る遮音床材用裏打材の第３の構成によれば、構造体の凸部の内部に貫通穴が貫通しているので空気層がより多く出来、遮音効果をより高めることが出来る。
【００１９】
また、本発明に係る遮音床材用裏打材の第４の構成によれば、構造体の凸部を線条起立片により容易に形成することが出来、線条起立片を互い違いに組み合わせれば構造体の一対の各線条起立片を対向させてその間に不織布またはスポンジを介在させてサンドイッチ状に積層する構造とすることが出来る。
【００２０】
また、本発明に係る遮音床材用裏打材の第５の構成によれば、構造体の凸部を環状起立片により容易に形成することが出来、環状起立片に接続された天片により環状起立片の剛性を高めることが出来る。
【００２１】
また、本発明に係る遮音床材用裏打材の第６の構成によれば、構造体の凸部を環状起立片により容易に形成することが出来、環状起立片の内部に面状片に亘って貫通穴を貫通させることが出来、その貫通穴により空気層がより多く出来、遮音効果をより高めることが出来る。
【発明を実施するための最良の形態】
【００２２】
図により本発明に係る遮音床材用裏打材の一実施形態を具体的に説明する。先ず、図１、図４、図５を用いて本発明に係る遮音床材用裏打材の第１実施形態の構成について説明する。図１（ａ），（ｂ）は本発明に係る遮音床材用裏打材の第１実施形態の構造体の構成を示す斜視図及び断面説明図、図２（ａ）は構造体を用いた遮音床材用裏打材の構成を示す断面説明図、図２（ｂ）は構造体を用いた遮音床材用裏打材を設けた遮音床材の構成を示す断面説明図、図３（ａ）は構造体を用いた遮音床材用裏打材を設けた遮音床材の構成を示す斜視図、図３（ｂ）は構造体を用いた遮音床材用裏打材を設けた遮音床材の表面側に荷重が作用した場合の挙動を示す断面説明図、図４（ａ）は第１実施形態の構造体の一対により不織布またはスポンジをサンドイッチ状に積層した遮音床材用裏打材の構成を示す断面説明図、図４（ｂ）は図４（ａ）の遮音床材用裏打材を設けた遮音床材の構成を示す断面説明図、図５（ａ）は図４（ｂ）の遮音床材の構成を示す斜視図、図５（ｂ）は図５（ａ）の遮音床材の表面側に荷重が作用した場合の挙動を示す断面説明図である。
【００２３】
図１〜図５において、１は凸部を有する構造体であり、面状片２と、該面状片２上に互いに並行に立設された複数の線条起立片３とを有して構成されている。構造体１はＪＩＳ  Ｋ−６７６７に準拠して５０％の圧縮硬さ６．０ＫＰａ以上で、且つ凸部となる線条起立片３の高さが１mm以上、且つ３０mm以下で、且つ隣設される線条起立片３同士の離間間隔が１mm以上、且つ２５０mm以下で構成されている。
【００２４】
本実施形態の構造体１の材質としては、プラスチック、硬質ゴム、紙、木材、竹、金属、無機質等が適用出来、例えば、市販された平行リブのプラスチックダンボールを半裁して得ることも出来る。尚、図１に示す構造体１の線条起立片３は直線状の線条起立片３の一例であるが、線条起立片３の他の例としては、波形状の線条起立片３、折れ線状の線条起立片３等を適宜適用することも出来る。尚、本実施形態では構造体１の線条起立片３の上端部が尖った形状の一例で示したが、線条起立片３の上端部は平坦であっても良いし、曲率が設けられたものであっても良い。
【００２５】
図２に示すように、構造体１の凸部側には不織布４またはスポンジが積層される。図２（ａ）では構造体１の凸部となる線条起立片３側に不織布４が積層され、構造体１の面状片２側にスポンジ５が積層された場合の一例を示す。尚、構造体１の凸部となる線条起立片３側に不織布４の代わりにスポンジ５を積層しても良い。図２（ｂ）に示すように、不織布４の上部にフローリング材等の床基材６が積層される。
【００２６】
不織布４としては、厚みが０．２mm以上で板状、綿状、シート状等が適用出来る。また、スポンジ５としては、プラスチック、ゴム等の独立気泡や連続気泡のスポンジが適用出来る。
【００２７】
構造体１、不織布４、スポンジ５及び床基材６を積層する方法としては、接着剤や熱融着等により接合することが可能である。
【００２８】
図２（ａ）は凸部となる線条起立片３を有する図１の構造体１の凸部となる線条起立片３側に不織布４を接着して積層し、面状片２側にスポンジ５を積層した遮音床材用裏打材７の一例を示す。図２（ｂ）は図２（ａ）の遮音床材用裏打材７を床基材６の裏面側に貼り合せた場合の一例を示す。
【００２９】
図２（ｂ）において、床基材６の表面側に荷重がかかると、図３（ｂ）に示すように、不織布４は圧縮されるが、構造体１の凸部となる線条起立片３で受け止められ、これ以上沈み込まないので、船酔い現象がなく歩行感の良い遮音床材８が得られる。その上、凸部となる線条起立片３に接していない不織布４部分の空間12は、空気層になり、より遮音効果を向上させることが出来る。
【実施例１】
【００３０】
構造体１として、厚さ４mm、リブ間４mmの市販の平行リブ状のＰＰ（ポリプロピレン）製プラスチックダンボール（商品名ダンプレ−ト  宇部日東化成（株）製）をスライス機により半裁して、厚さ２．０mmで片面が平面の面状片２で、５０％の圧縮硬さが１６９ＫＰａの凸部となる線条起立片３の有るＰＰ（ポリプロピレン）の構造体１を得る。
【００３１】
この構造体１の凸部となる線条起立片３側に厚さ２mmのＰＰ（ポリプロピレン）製の不織布４を接着剤を用いて接着し、面状片２側には、厚さ２mmで発泡倍率１０倍のポリエチレン製のスポンジ５を接着剤を用いて接着し、ＰＰ（ポリプロピレン）製の構造体１、ＰＰ（ポリプロピレン）製の不織布４、ポリエチレン製のスポンジ５を積層して構成した遮音床材用裏打材７を得る。
【００３２】
この遮音床材用裏打材７を床基材６に貼り合せて遮音床材８とした。この遮音床材８の圧縮硬さは、JIS K-6767に準拠して５０％の圧縮硬さを測定したところ、以下の表１に示す通り１６９．４ＫＰａで、歩いても床が沈み込むことがなく、船酔い現象がなく、歩行感が良く、且つJIS A-1418の測定方法に準拠して軽量床衝撃音の改善値（ｄＢ）を測定したところ、以下の表２に示す結果が得られた。
【００３３】
【表１】
0004728780.tif 000002
【００３４】
【表２】
0004728780.tif 000003
【００３５】
このような構成の遮音床材用裏打材７によれば優れた遮音効果があり、歩いても床が沈み込むことがなく、船酔い現象がなく歩行感の良い遮音床材用裏打材７を得ることが出来た。
【００３６】
図４及び図５は図１に示す一対の構造体１の各凸部面となる線条起立片３同士を対向させて、その間に不織布４を介在させてサンドイッチ状に積層して構成したものである。尚、不織布４の代わりにスポンジ５を介在させてサンドイッチ状に積層して構成することも出来る。図４（ａ）は凸部となる線条起立片３を有する図１の構造体１の凸部となる線条起立片３で不織布４を上下からサンドイッチ状に積層した構成の遮音床材用裏打材７であって、図４（ｂ）は図４（ａ）の遮音床材用裏打材７を床基材６に貼り合せた遮音床材８である。他の構成は前述したと同様に構成される。
【００３７】
図５（ｂ）に示すように、床基材６上面に荷重がかかると不織布４は上下の構造体１の線条起立片３により荷重を分散して受けることになるので、より荷重に耐える遮音床材８が得られる。その上、不織布４と構造体１の線条起立片３と接していない空間12は空気層になり、遮音効果をより向上させる。
【実施例２】
【００３８】
上記実施例１と同様の片面が平面の面状片２で５０％の圧縮硬さが１６９ＫＰａの凸部となる線条起立片３の有るＰＰ（ポリプロピレン）製の構造体１を２枚用い、上下の線条起立片３同士で厚さ２mmのＰＰ（ポリプロピレン）製の不織布４を接着剤を用いてサンドイッチ状に積層した遮音床材用裏打材７を得た。
【００３９】
この遮音床材用裏打材７を床基材６となる床基材６に貼り合せて遮音床材８とし、上記と同様の測定をしたところ、上記表１及び表２に示す結果が得られた。本実施形態でも船酔い現象がなく歩行感が良い、より荷重に耐える、遮音効果の有る、より良い遮音床材用裏打材７を得ることが出来た。
【００４０】
次に、図６〜図８を用いて本発明に係る遮音床材用裏打材の第２実施形態の構成について説明する。図６（ａ），（ｂ）は本発明に係る遮音床材用裏打材の第２実施形態の構造体の構成を示す斜視図及び断面説明図、図７（ａ）は構造体を用いた遮音床材用裏打材の構成を示す断面説明図、図７（ｂ）は構造体を用いた遮音床材用裏打材を設けた遮音床材の構成を示す断面説明図、図８（ａ）は構造体を用いた遮音床材用裏打材を設けた遮音床材の構成を示す斜視図、図８（ｂ）は図８（ａ）の遮音床材の表面側に荷重が作用した場合の挙動を示す断面説明図である。尚、前記第１実施形態と同様に構成したものは同一の符号を付して説明を省略する。
【００４１】
本実施形態では、図６〜図８に示すように、構造体１は面状片２と、該面状片２上に立設された複数の環状起立片９と、該環状起立片９に接続された天片10とを有して構成されている。本実施形態の構造体１もＪＩＳ  Ｋ−６７６７に準拠して５０％の圧縮硬さ６．０ＫＰａ以上で、且つ凸部となる天片10を有する環状起立片９の高さが１mm以上、且つ３０mm以下で、且つ隣設される環状起立片９同士の離間間隔が１mm以上、且つ２５０mm以下で構成されている。
【００４２】
本実施形態の環状起立片９は断面円形状で構成した一例であるが、他の断面形状として、断面三角形状、断面四角形状等の断面多角筒形状、或いは断面星形形状、断面半月形状、断面三日月形状、断面瓢箪形状（断面８の字形状）等、種々の形状が適用出来る。
【００４３】
本実施形態の構造体１は、ＪＩＳ  Ｋ−６７６７に準拠して５０％の圧縮硬さ６．０ＫＰａ以上の凹凸部となる天片10を設けた環状起立片９を有するプラスチックダンボールを適用することが出来る。
【００４４】
図７（ａ）は凹凸部となる天片10を設けた環状起立片９を有する構造体１の凸部となる天片10側に不織布４を接着して積層し、面状片２側にスポンジ５を接着して積層した遮音床材用裏打材７であり、図７（ｂ）及び図８（ａ）は図７（ａ）の遮音床材用裏打材７の不織布４側に床基材６を接着して積層した遮音床材８である。
【００４５】
図８（ｂ）に示すように、床基材６の表面側に荷重がかかると不織布４は構造体１の凸部となる天片10で受けるので、より荷重に耐える遮音床材８が得られる。また、構造体１の不織布４と接していない凹部は空間12で空気層となり遮音効果も向上する。
【実施例３】
【００４６】
５０％の圧縮硬さ２０４ＫＰａで、厚さ３mmの凹凸部の有るＰＰ（ポリプロピレン）製のプラスチックダンボール（商品名  プラパ−ル  川上産業（株）製）の凸部となる環状起立片９の天片10に厚さ２mmのＰＰ（ポリプロピレン）製の不織布４を接着剤を用いて接着して積層し、面状片２側には厚さ２mmで発泡倍率１０倍のポリエチレン製のスポンジ５を接着剤を用いて接着して積層し、凹凸部の有るＰＰ（ポリプロピレン）製の構造体１、ＰＰ（ポリプロピレン）製の不織布４、ポリエチレン製のスポンジ５を順次積層して構成した遮音床材用裏打材７を得た。
【００４７】
この遮音床材用裏打材７を床基材６に貼り合せて遮音床材８とし、上記実施例１と同様の測定をしたところ、この遮音床材８の５０％の圧縮硬さは上記表１に示す通り２０４．８ＫＰａの荷重で歩いても沈み込むことがなく、船酔い現象がなく歩行感が良い。またJIS A-1418の測定方法に準拠して軽量床衝撃音の改善値（ｄＢ）を測定したところ、上記表２に示す結果が得られたので、遮音効果が有り、船酔い現象がなく歩行感の良い遮音床材用裏打材７を得ることが出来た。
【００４８】
上記のように、凸部となる環状起立片９を有するＪＩＳ  Ｋ−６７６７に準拠して５０％の圧縮硬さ６．０ＫＰａ以上の構造体１を使用したので、歩行時の荷重がかかっても、凸部となる環状起立片９に接している部分の遮音効果を得るために用いた空気層を含んだ柔らかい不織布４やスポンジだけが潰れ、構造体１の凸部となる環状起立片９は潰れることがなく、凹凸が連続的に１mm〜２５０mm間隔で配置されることから、遮音床材８全体としての圧縮硬さは強く、フローリング床等に施工した場合、歩行の際の沈み込みがなく船酔い現象がないので歩行感が良く、その上、家具等の重量物を置いても床が沈み込むことがない。更に凸部となる環状起立片９の構造体１の片面或いは両面に不織布４やスポンジ５を積層して構成したことにより、凹部と凸部との間に空間12が形成されて空気層となり、遮音効果をより高めることが出来る優れた遮音床材用裏打材７とすることが出来る。
【００４９】
次に、図９〜図11を用いて本発明に係る遮音床材用裏打材の第３実施形態の構成について説明する。図９（ａ），（ｂ）は本発明に係る遮音床材用裏打材の第３実施形態の構造体の構成を示す斜視図及び断面説明図、図10（ａ）は構造体を用いた遮音床材用裏打材の構成を示す断面説明図、図10（ｂ）は構造体を用いた遮音床材用裏打材を設けた遮音床材の構成を示す断面説明図、図11（ａ）は構造体を用いた遮音床材用裏打材を設けた遮音床材の構成を示す斜視図、図11（ｂ）は図10（ｂ）の遮音床材の表面側に荷重が作用した場合の挙動を示す断面説明図である。尚、前記各実施形態と同様に構成したものは同一の符号を付して説明を省略する。
【００５０】
図９〜図11に示すように、本実施形態の構造体１は凸部の内部に貫通穴11を設けたものであり、構造体１は面状片２と、該面状片２上に立設された複数の環状起立片９とを有し、該環状起立片９の内部に面状片２に亘って貫通する貫通穴11が形成されている。本実施形態の構造体１も圧縮硬さ６．０ＫＰａ以上で、且つ凸部となる環状起立片９の高さが１mm以上、且つ３０mm以下で、且つ隣設される環状起立片９同士の離間間隔が１mm以上、且つ２５０mm以下で構成されている。
【００５１】
本実施形態の構造体１は、凸部に平板の付いた凹凸を有するプラスチックダンボールの平板部分をスライスして切除して得た圧縮硬さ６．０ＫＰａ以上の凸部内部が貫通した構造体１を適用することが出来る。
【００５２】
図10（ａ）は凹凸部となる内部に貫通穴11が形成された環状起立片９を有する構造体１の凸部となる環状起立片９に不織布４を接着して積層し、面状片２側にスポンジ５を接着して積層した構成の遮音床材用裏打材７であり、図10（ｂ）及び図11（ａ）は図10（ａ）の遮音床材用裏打材７を床基材６に接着して貼り合せたものである。
【００５３】
図11（ｂ）に示すように、床基材６の表面側に荷重がかかると不織布４が構造体１の凸部となる環状起立片９で受けるので、荷重に耐える遮音床材８が得られる。また、構造体１の凸部となる環状起立片９の内部に面状片２に亘って貫通穴11があることから多くの空間が空気層になり、遮音効果も向上する。
【００５４】
上記遮音床材用裏打材７は、床の沈み込みがないため船酔い現象がなく歩行感が良い。環状起立片９からなる凸部を有する構造体１と不織布４やスポンジ５を積層する構成によって、遮音床材８の圧縮硬さが強くなり、歩行の際、床の沈み込みがなく船酔い現象がなくなり、歩行感が良くなる。その上、遮音床材用裏打材７に空間を形成することにより、空気層が出来、より遮音効果を向上させることが出来る。
【実施例４】
【００５５】
凸部に平板の付いた厚さ５mmの凹凸部の有るＰＰ（ポリプロピレン）製のプラスチックダンボール（商品名  プラパ−ル  川上産業（株）製）の平板部分をスライスして削除し、厚さ３mmの凸部となる環状起立片９が貫通穴11により面状片２を貫通している５０％の圧縮硬さが１８３．０ＫＰａのＰＰ（ポリプロピレン）製の構造体１を得た。
【００５６】
ＰＰ（ポリプロピレン）製の構造体１の凸部となる環状起立片９に厚さ２mmのＰＰ（ポリプロピレン）製の不織布４を接着剤を用いて接着して積層し、面状片２側に厚さ２mmで発泡倍率１０倍のポリエチレン製のスポンジ５を接着剤を用いて接着して積層し、凸部となる環状起立片９の内部が貫通穴11により面状片２を貫通しているＰＰ（ポリプロピレン）製の構造体１、ＰＰ（ポリプロピレン）製の不織布４、ポリエチレン製のスポンジ５を順次積層して構成した遮音床材用裏打材７を得た。
【００５７】
この遮音床材用裏打材７を床基材６に接着して貼り合せて遮音床材８としたところ、上記表１に示す通り、５０％の圧縮硬さは１８３．０ＫＰａで歩いても床が沈み込むことなく、船酔い現象がなく歩行感が良かった。また、JIS A-1418に準拠して測定した軽量床衝撃音の改善値（ｄＢ）は、上記表２に示す通りで遮音効果が得られたので、船酔い現象がなく歩行感の良い遮音床材用裏打材７を得ることが出来た。
【００５８】
上記構成により凸部を有するＪＩＳ  Ｋ−６７６７に準拠して５０％の圧縮硬さが６．０ＫＰａ以上の構造体１の凸部となる環状起立片９の内部が貫通穴11により面状片２を貫通している構造体１を使用したので、歩行時に荷重がかかっても凸部となる環状起立片９に接している不織布４やスポンジのみが潰れ、構造体１の凸部となる内部が貫通している環状起立片９は潰れない。更に構造体１の片面或いは両面に不織布４やスポンジ５を積層して構成することにより、凸部となる環状起立片９の内部が面状片２を貫通しているので空気層がより多く出来、遮音効果をより高めることが出来る優れた遮音床材用裏打材７とすることが出来る。
【００５９】
次に比較例について説明する。
【００６０】
［比較例１］
上記実施例１で用いた厚さ２mmのＰＰ（ポリプロピレン）製の不織布４と厚さ２mmの発泡倍率１０倍のポリエチレン製のスポンジ５を接着剤を用いて接着して積層して、前述の構造体１を省略した遮音床材用裏打材を得た。
【００６１】
この遮音床材用裏打材を床基材６に接着して貼り合せて遮音床材として、上記実施例１と同様な圧縮硬さと軽量床衝撃音の改善値（ｄＢ）を測定したところ、５０％の圧縮硬さは表１に示す通りで、２８ＫＰａと弱く、表２に示すように遮音効果も少なく、遮音床材用裏打材の性能を満足出来るものは得られなかった。
【００６２】
［比較例２］
遮音床材用裏打材として、厚さ２mmのＰＰ（ポリプロピレン）製の不織布４と、厚さ２mmのウレタンフォ−ムを積層して、床基材６に貼り合せた市販の遮音床材Ｌ−４５品（松下電工株式会社製）について、前記実施例１と同様の測定を行ったところ、この遮音床材の５０％の圧縮硬さは上記表１に示す通りで、５．７ＫＰａと弱く、歩くと床が沈み込み船酔い現象が発生して、歩行感が悪く、船酔い現象がなく、歩行感の良い遮音床材用裏打材の圧縮硬さの性能は得られなかった。しかしながら、JIS A-1418の軽量床衝撃音の改善値（ｄＢ）を測定したところ、上記表２に示す結果が得られ、遮音効果は得られた。
【００６３】
上述したように、本発明に係る遮音床材用裏打材の構成によれば、船酔い現象がなく歩行感の良い遮音床材用裏打材とすることが出来、従来のように不織布やウレタンフォームを単独で使用したり、それらを積層して使用する構成とは異なり、凸部を有する構造体１と不織布４やスポンジ５を積層して構成しているので、圧縮硬さが有り、且つ、遮音性能も満足することが出来る。
【００６４】
このような構成の遮音床材用裏打材７を床基材６に貼り合せ、遮音床材８としてフローリング床等に施工した場合、歩行の際、床の沈み込みがなく船酔い現象がなく歩行感が良い。また不織布４やスポンジと構造体１との間に空気層を介在させることが出来るので、遮音性能を向上させる効果を有している。
【００６５】
従って、構造体１の凸部の高さや空間或いは形状を変えることにより、圧縮硬さや空間12により形成される空気層を適宜変えることが出来る。
【００６６】
即ち、構造体１の圧縮硬さを強くすれば、家具等の重量物を置いても床が沈み込むことはなく、空間12により形成される空気層を多くすることにより、遮音性能に効果が有り、優れた遮音床材用裏打材７になる等の多大な効果を有している。
【産業上の利用可能性】
【００６７】
本発明の活用例として、木質系遮音床材の裏面に貼り合せて使用される遮音床材用裏打材に適用出来る。
【図面の簡単な説明】
【００６８】
【図１】（ａ），（ｂ）は本発明に係る遮音床材用裏打材の第１実施形態の構造体の構成を示す斜視図及び断面説明図である。
【図２】（ａ）は構造体を用いた遮音床材用裏打材の構成を示す断面説明図、（ｂ）は構造体を用いた遮音床材用裏打材を設けた遮音床材の構成を示す断面説明図である。
【図３】（ａ）は構造体を用いた遮音床材用裏打材を設けた遮音床材の構成を示す斜視図、（ｂ）は構造体を用いた遮音床材用裏打材を設けた遮音床材の表面側に荷重が作用した場合の挙動を示す断面説明図である。
【図４】（ａ）は第１実施形態の構造体の一対により不織布またはスポンジをサンドイッチ状に積層した遮音床材用裏打材の構成を示す断面説明図、（ｂ）は（ａ）の遮音床材用裏打材を設けた遮音床材の構成を示す断面説明図である。
【図５】（ａ）は図４（ｂ）の遮音床材の構成を示す斜視図、（ｂ）は（ａ）の遮音床材の表面側に荷重が作用した場合の挙動を示す断面説明図である。
【図６】（ａ），（ｂ）は本発明に係る遮音床材用裏打材の第２実施形態の構造体の構成を示す斜視図及び断面説明図である。
【図７】（ａ）は構造体を用いた遮音床材用裏打材の構成を示す断面説明図、（ｂ）は構造体を用いた遮音床材用裏打材を設けた遮音床材の構成を示す断面説明図である。
【図８】（ａ）は構造体を用いた遮音床材用裏打材を設けた遮音床材の構成を示す斜視図、（ｂ）は（ａ）の遮音床材の表面側に荷重が作用した場合の挙動を示す断面説明図である。
【図９】（ａ），（ｂ）は本発明に係る遮音床材用裏打材の第３実施形態の構造体の構成を示す斜視図及び断面説明図である。
【図１０】（ａ）は構造体を用いた遮音床材用裏打材の構成を示す断面説明図、（ｂ）は構造体を用いた遮音床材用裏打材を設けた遮音床材の構成を示す断面説明図である。
【図１１】（ａ）は構造体を用いた遮音床材用裏打材を設けた遮音床材の構成を示す斜視図、（ｂ）は図10（ａ）の遮音床材の表面側に荷重が作用した場合の挙動を示す断面説明図である。
【符号の説明】
【００６９】
１…構造体
２…面状片
３…線条起立片
４…不織布
５…スポンジ
６…床基材
７…遮音床材用裏打材
８…遮音床材
９…環状起立片
10…天片
11…貫通穴
12…空間
【図１】
0004728780.tif 000004
【図２】
0004728780.tif 000005
【図３】
0004728780.tif 000006
【図４】
0004728780.tif 000007
【図５】
0004728780.tif 000008
【図６】
0004728780.tif 000009
【図７】
0004728780.tif 000010
【図８】
0004728780.tif 000011
【図９】
0004728780.tif 000012
【図１０】
0004728780.tif 000013
【図１１】
0004728780.tif 000014